(57)【要約】【課題】  物干しハンガーで衣類などを干すとき、開口部が狭小、或いは、狭長であっても、該開口部から無理なく容易に出し入れ出来る物干しハンガーを提供する。【解決手段】  握り柄を介して、爪部を有する弾性軸と、支軸を装着した支点を設け、該支軸は支点を芯に回転可能であることを特徴とした物干しハンガー。【特許請求の範囲】
【請求項１】
バネを嵌入して設けた支点を介し、挟み部と挟み部を開閉する握り柄を設け、該握り柄に支点を設け、該支点に回転移動する支軸を装着したことを特徴とする洗濯用ハンガー。
【発明の詳細な説明】
【技術分野】
【０００１】  本発明は、洗濯した上着をハンガーを用いて干すとき、該上着が丸首など開口部が小さい形状であっても、該開口部から容易に出し入れ出来る洗濯用ハンガーに関するものである。
【背景技術】
【０００２】  従来、衣服を吊るすハンガーは概ね横長の形状である。従って、洗濯後干す上着が丸首形、或いは開口部が小さい場合、該開口部からハンガーを無理に出し入れしたり、或いは、裾から出し入れしたりしていた。
【発明の開示】
【発明が解決しようとする課題】
【０００３】  そのために、次のような問題があった。
横長形のハンガーを小さい開口部から無理に出し入れすると開口部が伸びて形状を損ない、又、裾からの出し入れは手間と時間がかかり面倒である。
本発明は以上の問題点を解決しようとするものである。
【課題を解決するための手段】
【０００４】  バネを嵌入した支点を設け、該支点をを介して挟み部と握り柄を設け、該握り柄を介して支点と弾性軸を設け、該支点には回転移動する支軸を装着し、弾性軸には爪を形成している。弾性軸に設けた爪は、回転移動する支軸を所定の位置に固定させる。又、支軸を握り柄と平行状に回転移動させ縦長形にする。以上を特徴とする洗濯用ハンガーである。
【発明の効果】
【発明の効果】
【０００５】  本発明は、洗濯した上衣をハンガーを用いて干すとき、そして、乾いて外すとき、ハンガーが縦長形であれば開口部が小さくても無理なく容易に出し入れできる。従って、首周りの形状を損なわず、作業が簡便になり煩わしさが無い。
【発明を実施するための最良の形態】
【０００６】以下、発明の実施の形態を説明する。
（イ）バネを嵌入した支点（１）を設け、該支点（１）を介して一方に挟み部（２）を        設ける。
（ロ）他方に挟み部（２）を開閉するための握り柄（３）を設ける。
（ハ）該握り柄（３）に支点（４）を設け、該支点（４）に回転移動する支軸（５）を        装着する。
（ニ）支点（４）の反対側に爪（６）を有する弾性軸（７）を装着する。
挟み部（２）はバネの力で開閉し竿やロープなどを挟む。ハンガーを上着の丸首など小さい開口部から出し入れするとき、支軸（５）を握り柄（３）と平行状に回転移動させ縦長形にすれば、小さい開口部からの出し入れは容易になり首周りの形状を損なわない。
そして，支軸（５）を横に広げた状態に回転移動させて袖内に挿入し、爪（６）で所定の位置に固定すれば、衣類の袖は横に広げられ脇周辺の乾燥を速やかにする。そして、乾燥後は支軸（５）を手で縦に回転移動させハンガーを縦長形にすれば、開口部から容易に抜き出せ上着も簡単に外れる。この結果，洗濯物の干したり取り入れたりの作業は容易で迅速になり時間を短縮する
【図面の簡単な説明】
【０００７】
【図１】本発明の支軸を横に回転移動した正面図
【図２】本発明の支軸を縦に回転移動した正面図
【図３】本発明の使用図
【符号の説明】
【０００８】  １，支点
２、挟み部
３、握り柄
４、支点
５、支軸
６、爪
７、弾性軸
【図１】
2013031616.tif 000002
【図２】
2013031616.tif 000003
【図３】
2013031616.tif 000004
【手続補正書】
【提出日】平成23年11月5日(2011.11.5)
【手続補正１】
【補正対象書類名】特許請求の範囲
【補正対象項目名】全文
【補正方法】変更
【補正の内容】
【特許請求の範囲】
【請求項１】
握り柄を介して、爪部を有する弾性軸と支軸を装着した支点を設け、該支軸は支点を芯に回転可能であることを特徴とする物干しハンガー。
【手続補正２】
【補正対象書類名】明細書
【補正対象項目名】全文
【補正方法】変更
【補正の内容】
【発明の詳細な説明】
【０００１】  本発明は、洗濯後干す衣類の開口部が狭小、または狭長であっても、該開口部から無理なく容易に出し入れできる物干しハンガーに関する物である。
【０００２】  従来、物干しハンガーは概ね横長形状で上中央に掛具、または挟み部が直上に突出している。干す際に衣服などの開口部が狭小、または狭長の場合は、ハンガーを該開口部から無理に、或いは裾などから出し入れしていた。
【０００３】  そのため次ぎのような問題点があった。
横長形で直上に挟み部や掛具などが突出しているハンガーを、狭小、または狭長の開口部から無理に出し入れするのはその手作業も厄介であり、衣服の場合は開口部が伸びたり変形するなど形状を損ない、裾からの出し入れは手間と時間がかかり面倒であった。
本発明は、以上の問題点を解決するために成された物である。
【０００４】    挟み部を開閉させる握り柄を介して、爪部を有する弾性軸と支軸を装着した支点を設け、該支軸は支点を芯に回転可能である。以上を特徴とする物干しハンガーである。
【０００５】  本発明は、ハンガーの支軸を回転垂下させ縦長形にして、衣類などの狭小や狭長の開口部から無理なく容易に出し入れ出来る。従って、手作業は容易になり開口部周辺の形状を損なうことはない。
【０００６】  以下、発明の実施の形態を説明する。
（イ）支点（１）を介して一方に挟み部（２）を設け、他方には該挟み部を開閉するた        めの左右同形の握り柄（３）を設ける。
（ロ）握り柄（３）を介し、爪部（４）を有する弾性軸（５）を設ける。
（ハ）握り柄（３）の下端に左右同形の支軸（６）を装着した支点（７）を設ける。
（ニ）支軸（６）の一方の先端は小突起部（８）を形成している。
（ホ）支軸（６）は支点（７）を芯に回転可能である。
本発明は以上の構成によってなっている。
本発明を使用するときは、挟み部（２）は握り柄（３）の操作により開閉し、支点（１）に嵌入したバネの力で竿やロープを挟み吊り下げる。
干す衣服の開口部が狭小、或いは狭長の場合、支軸（６）を回転垂下させ縦長形にして開口部に挿入する。挿入する際は開口部周辺を変形させず無理なく容易に挿入できる。
そして、開口部から挿入した両支軸（６）は衣服のそれぞれ両袖に挿入し、支軸（６）を手動で上横に回転させ先端の小突起部（８）を弾性軸（５）の爪部に掛けて固定する。
その結果、ハンガーは従来の横長形になり、衣服の両袖は横に広がり両脇の乾燥を速やかにする。
乾燥後は、左右の弾性軸（５）を指で中央部に引き寄せると、爪部（４）に掛けていた小突起部（８）は爪部（４）から外れ支軸（６）は直ちに回転垂下して縦長形になり容易に開口部から脱し衣服も脱離する。
以上の結果、開口部からのハンガーの出し入れは無理なく容易で、再度の出し入れにも開口部周辺の形状を損なうことはなく、更に、手作業は煩わしさはなく迅速になり時間を短縮する。
【図面の簡単な説明】
【０００７】
【図１】  本発明の、支軸を横に回転移動させたハンガー正面図
【図２】  本発明の支軸を回転垂下させたハンガー正面ず
【図３】  本発明の衣服の開口部からハンガーを挿入した使用図
【符号の説明】
【０００８】１．支点
２．挟み部
３．握り柄
４．爪部
５．弾性軸
６．支軸
７．支点
８．小突起部
【手続補正３】
【補正対象書類名】図面
【補正対象項目名】全図
【補正方法】変更
【補正の内容】
【図１】
2013031616.tif 000005
【図２】
2013031616.tif 000006
【図３】
2013031616.tif 000007